(57)【要約】      （修正有）【課題】簡易な構成で製造コストの省コスト化を実現可能であると共に、食品が詰め込まれた状態にある食品容器を傾けたり、持ち上げたりする必要がなく簡単に且つ短時間に貼り付けて箸を固定することが可能で、食品容器の蓋が透明な素材である場合においては良好なシズル感を出せ、保管や持ち運びにも便利な箸留め用シールを提供する。【解決手段】お寿司やお弁当などの食品が詰め込まれた持ち帰り用の食品容器に貼り付けて使用する箸留め用シール１であって、外形が矩形状からなるシート状部材で構成され、左右方向における両端部のうら面Ｂの所定領域を接着剤が塗布された接着領域２とすると共に、うら面Ｂの接着領域２を除く領域を接着剤が塗布されていない非接着領域３とし、非接着領域３と食品容器との間に箸を挟持させて固定する。【選択図】図１
0003232264.tif 000002
【実用新案登録請求の範囲】
【請求項１】
お寿司やお弁当などの食品が詰め込まれた持ち帰り用の食品容器に貼り付けて使用する箸留め用シールであって、外形が矩形状、多角形状、円形状、楕円形状の少なくとも何れか一つの形状からなるシート状部材で構成され、上下方向又は左右方向の少なくとも何れか一方向における両端部のうら面の所定領域を接着剤が塗布された接着領域とすると共に、うら面の前記接着領域を除く領域を接着剤が塗布されていない非接着領域とし、前記非接着領域と前記食品容器との間に箸を挟持させて固定することを特徴とする箸留め用シール。
【請求項２】
おもて面に、広告宣伝情報を印刷してあることを特徴とする請求項１に記載の箸留め用シール。
【請求項３】
接着領域と非接着領域との境界線の端部に、切り欠きを設けてあることを特徴とする請求項１又は２に記載の箸留め用シール。
【請求項４】
接着領域と非接着領域との境界線を、ミシン目からなる切り取り線で形成してあることを特徴とする請求項１〜３の何れか１項に記載の箸留め用シール。
【請求項５】
非接着領域に、醤油袋などの調味料袋を差し込み可能なスリットを設けてあることを特徴とする請求項１〜４の何れか１項に記載の箸留め用シール。
【請求項６】
非接着領域のおもて面に、文字やイラストなどを自由に書き込むことが可能な書き込み用の余白領域を設けてあると共に、前記余白領域に所定形状の枠と、罫線との少なくとも何れか一方を印刷してあることを特徴とする請求項１〜５の何れか１項に記載の箸留め用シール。
【考案の詳細な説明】
【技術分野】
【０００１】
本考案は、お寿司やお弁当などの食品が詰め込まれた持ち帰り用の食品容器に貼り付けて使用する箸留め用シールに関する。
【背景技術】
【０００２】
お寿司やお弁当などの食品が詰め込まれた持ち帰り用の食品容器として、本体と蓋とが分離したものや、本体の一部に蓋を結合させてあるものが広く使用されている。このような持ち帰り用の食品容器に食品を詰め込んだ後に箸を付ける場合、輪ゴムや掛け紙で蓋との間に箸を挟持させて固定させるものが一般的であった。
しかしながら、輪ゴムや掛け紙で箸を固定させる場合、食品が詰め込まれた状態にある食品容器を傾けたり、持ち上げたりする必要がある。よって、中身が崩れるという問題があった。また、図７（ｂ）に示すような掛け紙を使用する場合においては、箸がずれ落ち易いだけでなく、掛け紙を食品容器のおもて面の全面に掛け渡すような場合においては、中に詰め込まれている食品が全く見えないことでシズル感を出せないという問題があった。
このような従来の問題点を解決する技術として、例えば、下記特許文献１がある。
【先行技術文献】
【特許文献】
【０００３】
【特許文献１】実用新案登録第３０４５６５７号公報
【考案の概要】
【考案が解決しようとする課題】
【０００４】
上記特許文献１に示す従来技術は、食品包装用容器に関するもので、箸の付け忘れがなく、付けた箸が脱落しないというメリットがある。
しかしながら、上記特許文献１に示す技術においては、食品包装用容器の側縁部に箸嵌着部を有する箸装着縁を連接させて設ける構成であることから、箸装着縁を金型にて形成する必要があり、製造コストの省コスト化を図ることができないと共に、食品包装用容器の構造が複雑化、大型化し、保管時などに余分なスペースが必要となり、また持ち運びに不便であるという問題があった。
【０００５】
そこで、本考案は上記従来技術の問題を解消し、簡易な構成で製造コストの省コスト化を実現可能であると共に、食品が詰め込まれた状態にある食品容器を傾けたり、持ち上げたりする必要がなく簡単に且つ短時間に貼り付けて箸を固定することが可能で、食品容器の蓋が透明な素材である場合においては良好なシズル感を出せ、保管や持ち運びにも便利な箸留め用シールの提供を課題とする。
【課題を解決するための手段】
【０００６】
本考案の箸留め用シールは、お寿司やお弁当などの食品が詰め込まれた持ち帰り用の食品容器に貼り付けて使用する箸留め用シールであって、外形が矩形状、多角形状、円形状、楕円形状の少なくとも何れか一つの形状からなるシート状部材で構成され、上下方向又は左右方向の少なくとも何れか一方向における両端部のうら面の所定領域を接着剤が塗布された接着領域とすると共に、うら面の前記接着領域を除く領域を接着剤が塗布されていない非接着領域とし、前記非接着領域と前記食品容器との間に箸を挟持させて固定することを第１の特徴としている。
また、本考案の箸留め用シールは、上記第１の特徴に加えて、おもて面に、広告宣伝情報を印刷してあることを第２の特徴としている。
また、本考案の箸留め用シールは、上記第１又は第２の特徴に加えて、接着領域と非接着領域との境界線の端部に、切り欠きを設けてあることを第３の特徴としている。
また、本考案の箸留め用シールは、上記第１〜第３の何れか１つの特徴に加えて、接着領域と非接着領域との境界線を、ミシン目からなる切り取り線で形成してあることを第４の特徴としている。
また、本考案の箸留め用シールは、上記第１〜第４の何れか１つの特徴に加えて、非接着領域に、醤油袋などの調味料袋を差し込み可能なスリットを設けてあることを第５の特徴としている。
また、本考案の箸留め用シールは、上記第１〜第５の何れか１つの特徴に加えて、非接着領域のおもて面に、文字やイラストなどを自由に書き込むことが可能な書き込み用の余白領域を設けてあると共に、前記余白領域に所定形状の枠と、罫線との少なくとも何れか一方を印刷してあることを第６の特徴としている。
【考案の効果】
【０００７】
請求項１に記載の箸留め用シールによれば、簡易な構成であることで、製造コストの省コスト化を実現可能であると共に、食品が詰め込まれた状態にある食品容器を傾けたり、持ち上げたりする必要がなく簡単に且つ短時間に食品容器に貼り付けるだけで箸を固定することができる。よって、中に詰め込んだ食品が崩れることを防止できると共に、作業性の良い箸留め用シールとすることができる。また、食品容器の蓋が透明な素材である場合においては、蓋の一部分に貼り付け可能なことで、良好なシズル感を出すことが可能である。また、外形が矩形状、多角形状、円形状、楕円形状の少なくとも何れか一つの形状からなるシート状部材で構成されるものであることから、保管に余分なスペースが不要で、持ち運びにも便利な箸留め用シールとすることができる。
【０００８】
また、請求項２に記載の箸留め用シールによれば、上記請求項１に記載の構成による作用効果に加えて、おもて面に広告宣伝情報を印刷してあることで、お店の広告宣伝を効果的に行うことが可能な箸留め用シールとすることができる。
【０００９】
また、請求項３に記載の箸留め用シールによれば、上記請求項１又は２に記載の構成による作用効果に加えて、接着領域と非接着領域との境界線の端部に、切り欠きを設けてあることで、箸を外す際に切り欠きを起点として箸留め用シールを破断させることが可能となり、短時間で箸を外すことが可能な箸留め用シールとすることができる。
【００１０】
また、請求項４に記載の箸留め用シールによれば、上記請求項１〜３の何れか１つに記載の構成による作用効果に加えて、接着領域と非接着領域との境界線をミシン目からなる切り取り線で形成することで、一段と短時間で箸を外すことが可能で利便性の高い箸留め用シールとすることができる。
【００１１】
また、請求項５に記載の箸留め用シールによれば、上記請求項１〜４の何れか１つに記載の構成による作用効果に加えて、非接着領域に、醤油袋などの調味料袋を差し込み可能なスリットを設けてあることで、調味料袋を附属させて持ち帰ってほしい場合でも、調味料袋をスリットに差し込むだけで容易且つ迅速に調味料袋を留めることが可能となり、一段と利便性の高い箸留め用シールとすることができる。
【００１２】
また、請求項６に記載の箸留め用シールによれば、上記請求項１〜５の何れか１つに記載の構成による作用効果に加えて、非接着領域のおもて面に、文字やイラストなどを自由に書き込むことが可能な書き込み用の余白領域を設けてあると共に、前記余白領域に所定形状の枠と、罫線との少なくとも何れか一方を印刷してあることで、食品提供側のお店の従業員や、食品購入側の消費者がメモ書きなどを行うことが可能な箸留め用シールとすることができる。従って、一段と利便性の高い箸留め用シールとすることができる。
【図面の簡単な説明】
【００１３】
【図１】本考案の実施形態に係る箸留め用シールを示す図で、（ａ）は全体正面図、（ｂ）は全体背面図である。
【図２】本考案の実施形態に係る箸留め用シールを示す図で、（ａ）は箸留め用シールを食品容器に貼り付けた状態を示す平面図、（ｂ）は箸留め用シールを食品容器に貼り付けた状態を示す斜視図である。
【図３】本考案の実施形態に係る箸留め用シールを示す図で、（ａ）は箸留め用シールを食品容器に貼り付けた状態を示す斜視図、（ｂ）は箸留め用シールを食品容器に貼り付ける途中の状態を示す斜視図である。
【図４】本考案の実施形態に係る箸留め用シールの変形例１を示す図で、（ａ）は箸留め用シールを食品容器に貼り付けた状態を示す斜視図、（ｂ）は箸留め用シールの全体正面図である。
【図５】本考案の実施形態に係る箸留め用シールの変形例２、３を示す図で、（ａ）は変形例２を示す全体正面図、（ｂ）は変形例３を示す全体正面図である。
【図６】本考案の実施形態に係る箸留め用シールの変形例４、５を示す図で、（ａ）は変形例４を示す全体正面図、（ｂ）は変形例５を示す全体正面図である。
【図７】本考案の実施形態に係る箸留め用シールの変形例６と従来の箸留め用の掛け紙を示す図で、（ａ）は変形６を示す全体正面図、（ｂ）は従来の箸留め用の掛け紙を食品容器に掛け渡した状態を示す図である。
【考案を実施するための形態】
【００１４】
以下の図面を参照して、本考案の実施形態に係る箸留め用シールを説明し、本考案の理解に供する。しかし、以下の説明は本考案の実用新案登録請求の範囲に記載の考案を限定するものではない。なお、図２〜図４（ａ）においては、説明の便宜上、詰め込まれた状態にある食品と、本来図１（ａ）と同様に印刷されている文字などを割愛して図示するものとする。
【００１５】
まず、図１〜図３を参照して、本考案の実施形態に係る箸留め用シールについて説明する。
【００１６】
図１〜図３に示すように、本考案に係る箸留め用シール１は、お寿司やお弁当などの食品が詰め込まれた持ち帰り用の食品容器１０に貼り付けて箸２０を固定するために使用するものである。
なお、本実施形態においては、食品容器１０として、本体１１が有色のプラスチック製樹脂で形成されていると共に、蓋１２が透明のプラスチック樹脂で形成されているプラスチック樹脂製の食品容器を用いる構成としてある。勿論、食品容器はこれに限るものではなく、他の食品容器を用いる構成としてもよい。
【００１７】
この箸留め用シール１は、本実施形態においては、外形が矩形状からなるプラスチック樹脂製のシート状部材で構成されている。なお、うら面に接着剤が塗布されたいわゆるシールとして汎用されているプラスチック樹脂製のシート状部材であれば、如何なる素材のものを用いてもよい。また、箸留め用シールを形成する素材もプラスチック樹脂製に限るものではなく、素材として紙を用いる構成としてもよい。
また、左右方向における両端部のうら面Ｂの所定領域に接着剤が塗布された接着領域２を設けると共に、うら面Ｂの接着領域２を除く領域を、接着剤が塗布されていない非接着領域３としてある。より具体的には、本実施形態においては図１（ｂ）に斜線で示すように、うら面Ｂの左右方向における両端部から内側に１０ｍｍの幅の全ての領域を、接着剤が塗布された接着領域２とし、うら面Ｂの前記接着領域２を除く領域を非接着領域３としてある。勿論、接着領域２を設ける面積は本実施形態のものに限るものではなく、適宜変更可能である。但し、使用時の接着力を考慮すれば、箸留め用シール１の上下方向又は左右方向の少なくとも何れか一方向における両端部から１０ｍｍ以上の幅を有する領域を接着領域２とすることが望ましい。
更に図１（ａ）に示すように、おもて面Ｓには、お店の広告宣伝情報を印刷してある。
【００１８】
なお、箸留め用シール１の大きさ、厚みとして、本実施形態においては、縦が６ｃｍ程度、横が１０ｃｍ程度、厚みが０．１ｍｍ程度のものを用い、食品容器１０の蓋１２の上面に箸留め用シール１を貼り付ける構成としてある。但し、箸留め用シール１の大きさ、厚みはこのような大きさ、厚みに限るものではなく、食品容器の大きさに合わせて適宜変更可能である。
また、接着剤としては、一定の強度をもって箸留め用シール１を食品容器に貼り付けることが可能なものであれば、如何なる接着剤を用いてもよい。
【００１９】
次に図３（ｂ）を参照して、本考案の実施形態に係る箸留め用シール１の貼付け方法（使用方法）及び箸２０の固定方法を説明する。
まず、お寿司やお弁当などの食品が詰め込まれた状態にある持ち帰り用の食品容器１０と、箸２０と、箸留め用シール１を準備する。
そして、食品容器１０をテーブルなどの台の上に置き、袋に収納されている箸２０を蓋１２の上に置く。
その状態で、図３（ｂ）に示すように、箸留め用シール１の左右方向の一端（本実施形態においては右側端部）を蓋１２に貼り付け、箸２０の上面に当接させながら箸留め用シール１の左右方向の他端（本実施形態においては左側端部）を蓋１２に貼り付ける。
以上により、箸留め用シール１が食品容器に貼り付けられると共に、非接着領域３と食品容器１０の蓋１２との間に箸２０が挟持されて固定される。
【００２０】
なお、このような構成からなる本実施形態に係る箸留め用シール１は、例えば、下記の工程を経て製造することができる。
まず、箸留め用シール１の原紙となるプラスチック樹脂製のシートを準備し、おもて面Ｓには広告宣伝情報を印刷し、うら面Ｂには接着剤を塗布する。この際、１枚のプラスチック樹脂製のシートから複数枚の箸留め用シール１が取れるように印刷及び接着剤の塗布を行う。更に、この工程においては、うら面Ｂの全面に接着剤を塗布する。
その後、非接着領域３について、接着剤を取り除く加工を行う。
そして、プラスチック樹脂製のシートを所定形状に裁断して、１枚のプラスチック樹脂製のシートから複数枚の箸留め用シール１に分割する。
以上の工程により、本考案の実施形態に係る箸留め用シール１が製造される。
なお、上記の製造工程においては、うら面Ｂの全面に接着剤を一度塗布した後に非接着領域３について接着剤を取り除く加工を行う構成としたが、必ずしもこのような構成に限るものではなく、最初から接着領域２だけに接着剤を塗布するような構成としてもよい。
【００２１】
以上のような構成からなる箸留め用シール１は、以下の効果を奏する。
【００２２】
矩形状のプラスチック樹脂製のシートで箸留め用シール１を構成することで、簡易な構成とすることができ、製造コストの省コスト化を実現できる。
また、食品が詰め込まれた状態にある食品容器を傾けたり、持ち上げたりする必要がなく簡単に且つ短時間に食品容器１０の蓋１２の上に貼り付けるだけで箸２０を固定することができることから、中に詰め込まれた食品が崩れることを防止できると共に、作業性の良い箸留め用シール１とすることができる。
また、非接着領域３と食品容器１０との間に箸２０を挟持させて固定する構成とすることで、食品を食べる際に、箸留め用シール１から箸２０を引き抜くだけで、容易且つ迅速に箸２０を取り出して使用することができる。
【００２３】
また、既述した本実施形態に係る食品容器１０のように、蓋１２が透明な素材である場合においては、蓋１２の一部分に貼り付け可能なことで、視認性が良く、良好なシズル感を出すことが可能な箸留め用シール１とすることができる。
また、外形が矩形状のシート状部材で構成されることで、保管に余分なスペースが不要で、持ち運びにも便利な箸留め用シール１とすることができる。
【００２４】
また、おもて面Ｓに広告宣伝情報を印刷してあることで、お店の広告宣伝を効果的に行うことが可能な箸留め用シール１とすることができる。
【００２５】
更に、箸留め用シール１を食品容器１０と同じくプラスチック樹脂製とすれば、廃棄時に食品容器１０と箸留め用シール１とを分別する手間を省くことが可能となる。
【００２６】
次に、図４〜図７（ａ）を参照して、本考案の実施形態に係る箸留め用シール１の変形例１〜変形例６を説明する。なお、変形例１〜変形例６において、既述した本考案の実施形態に係る箸留め用シール１と同一部材、同一機能を果たすものには同一番号を付し、詳細な説明は省略するものとする。
【００２７】
まず、図４を参照して、本変形例１は、既述した本考案の実施形態に係る箸留め用シール１に対して、箸留め用シールの大きさだけを変化させたものである。具体的には、横の長さを伸ばすことで、図４（ａ）に示すように、箸留め用シール１を食品容器１０の本体１１のうら面に貼り付けて箸２０を固定する構成としたものである。
このような構成とすることで、食品容器１０の蓋１２が開くことを効果的に防止することが可能な箸留め用シール１とすることができる。
なお、このような構成とする場合、接着領域２の大きさは、図４（ｂ）に示す本変形例１のような構成に限るものではなく、適宜変更可能である。例えば、接着領域２の面積をさらに広げて、蓋１２から本体１１の側面を渡って、本体１１のうら面までに貼付け可能な接着領域２を設ける構成としてもよい。このような構成とすることで、食品容器１０の蓋１２が開くことを一段と防止可能な箸留め用シール１とすることができる。
更に、このように箸留め用シール１の横の長さを伸ばす構成とする場合、図４（ａ）に示すような貼り付け方にかえて、箸留め用シール１を食品容器１０の蓋１２のおもて面に貼り付けて本体１１のうら面で箸２０を固定する構成としてもよい。このような構成とすることで、蓋１２が透明な素材で形成される場合において、箸留め用シール１で覆われる蓋１２の面積を効果的に低減させることができ、一段と良好なシズル感を出すことが可能となる。
【００２８】
次に、図５（ａ）を参照して、本変形例２は、既述した本考案の実施形態に係る箸留め用シール１に対して、接着領域２と非接着領域３との境界線の端部に、切り欠き４を設ける構成としたものである。
このような構成とすることで、箸２０を外す際に切り欠き４を起点として箸留め用シール１を破断させることが可能となり、短時間で箸２０を外すことが可能な箸留め用シール１とすることができる。
【００２９】
次に、図５（ｂ）を参照して、本変形例３は、既述した本考案の実施形態に係る箸留め用シール１に対して、接着領域２と非接着領域３との境界線をミシン目からなる切り取り線５で形成する構成としたものである。
このような構成とすることで、一段と短時間で箸２０を外すことが可能で利便性の高い箸留め用シール１とすることができる。
【００３０】
次に、図６（ａ）を参照して、本変形例４は、既述した本考案の実施形態に係る箸留め用シール１に対して、非接着領域３のおもて面Ｓに、醤油袋やわさび袋などの調味料袋３０を差し込み可能なスリット６を設ける構成としたものである。なお、本変形例においては、スリット６の形状を直線として、おもて面Ｓに斜めの切り込みを形成することで、スリット６を斜めに設ける構成としてある。勿論、スリットの構成はこのような構成に限るものではなく、形状、大きさ、配置位置、形成方法などは適宜変更可能である。
このようにスリット６を設けることで、調味料袋３０を附属させて持ち帰ってほしい場合でも、調味料袋３０をスリット６に差し込むだけで容易且つ迅速に調味料袋３０を箸留め用シール１にて留めることが可能となり、一段と利便性の高い箸留め用シール１とすることができる。
【００３１】
次に、図６（ｂ）を参照して、本変形例５は、既述した本考案の実施形態に係る箸留め用シール１に対して、箸留め用シールの外形を変化させたものである。具体的には、本変形例においては、箸留め用シール１の外形を八角形としてある。
このような構成とすることで、例えば、箸留め用シール１を紙で形成し、食品容器１０をプラスチック樹脂で形成する場合において、使用後の分別時に箸留め用シール１を剥がし易い構成とすることができ、利便性の高い箸留め用シール１とすることができる。
【００３２】
次に、図７（ａ）を参照して、本変形例６は、既述した本考案の実施形態に係る箸留め用シール１に対して、非接着領域３のおもて面Ｓに、文字やイラストなどを自由に書き込むことが可能な書き込み用の余白領域を設けてあると共に、前記余白領域に所定形状の枠９と、罫線８を印刷してある箸留め用シール７とする構成としたものである。
このような構成とすることで、食品提供側のお店の従業員や、食品購入側の消費者がメモ書きなどを行うことが可能な箸留め用シールとすることができる。従って、一段と利便性の高い箸留め用シールとすることができる。このような効果は、特に、家族でピクニックに行く場合や、学校で運動会がある場合などにお弁当を持参する際に、誰のお弁当であるかを自由に書き込める点において利便性が高いものである。
【００３３】
なお、既述した本考案の実施形態及び変形例においては、接着領域２を設ける位置として、箸留め用シール１の左右方向の両端部のうら面Ｂの所定領域に設ける構成としたが、必ずしもこのような構成に限るものではない。例えば、箸留め用シール１の上下方向の両端部のうら面Ｂの所定領域に設ける構成としてもよい。また、箸留め用シール１の左右方向の両端部のうら面Ｂの所定領域と、上下方向の両端部のうら面Ｂの所定領域とに組み合わせて設ける構成としてもよい。
【００３４】
また、既述した本考案の実施形態及び変形例においては、うら面Ｂの左右方向における両端部から内側に１０ｍｍの幅の全ての領域を、接着剤が塗布された接着領域２とする構成としたが、接着領域２を設ける構成はこのような構成に限るものでななく、箸留め用シールの上下方向又は左右方向の少なくとも何れか一方向における両端部のうら面の所定領域を接着剤が塗布された接着領域とするものであれば、適宜変更可能である。例えば、うら面Ｂの左右方向における両端部から内側に１０ｍｍの幅の領域において、上下方向に間隔を空けて複数の接着領域２を設けるような構成としてもよい。また、うら面Ｂの左右方向における両端部から内側に１０ｍｍの幅の全ての領域に加えて、箸留め用シールの左右方向の中央位置から左右に各５ｍｍの幅の全ての領域に接着領域２を設けるような構成としてもよい。
【００３５】
また、うら面の非接着領域３にすべり留め加工を施すような構成としてもよい。このような構成とすることで、箸２０がずれ落ちることを一段と効果的に防止可能な箸留め用シールとすることができる。
【００３６】
また、既述した本考案の実施形態及び変形例においては、箸留め用シールの外形形状を矩形状又は八角形の形状とする構成としたが、必ずしもこのような構成に限るものではなく、用途に合わせて、外形形状を他の形状とする構成としてもよい。例えば、八角形以外の多角形状、円形状、楕円形状とすることができる。
【００３７】
また、本考案の箸留め用シールは、箸を固定するだけでなく、箸と一緒に保冷剤やおしぼりを固定するために使用してもよい。
【産業上の利用可能性】
【００３８】
本考案の箸留め用シールは、簡易な構成で製造コストの省コスト化を実現可能であると共に、食品が詰め込まれた状態にある食品容器を傾けたり、持ち上げたりする必要がなく簡単に且つ短時間に貼り付けて箸を固定することが可能で、食品容器の蓋が透明な素材である場合においては良好なシズル感を出せ、保管や持ち運びにも便利であることから、箸留め用シールに関連する産業分野において有用であり、産業上の利用可能性が大きい。
【符号の説明】
【００３９】
１        箸留め用シール
２        接着領域
３        非接着領域
４        切り欠き
５        切り取り線
６        スリット
７        箸留め用シール
８        罫線
９        枠
１０      食品容器
１１      本体
１２      蓋
２０      箸
３０      調味料袋
４０      掛け紙
Ｂ        うら面
Ｓ        おもて面
【図１】
0003232264.tif 000003
【図２】
0003232264.tif 000004
【図３】
0003232264.tif 000005
【図４】
0003232264.tif 000006
【図５】
0003232264.tif 000007
【図６】
0003232264.tif 000008
【図７】
0003232264.tif 000009